(57)【要約】【課題】訓練中において訓練者が集中とリラックスとを繰り返すことで、さらに効果的な訓練を行うことが可能な視力改善訓練装置および視力改善訓練制御プログラムを提供する。【解決手段】視力改善訓練装置１０は、視力改善訓練用のマーク２０ａを表示する表示部２０を近点と遠点との間において移動させながら視力改善訓練を行う装置であって、近視用の視力改善訓練においては遠点から近点への移動時、老視用の視力改善訓練においては近点から遠点への移動時に、それぞれマーク２０ａが非表示となるように表示部２０を制御する。【選択図】図４
2010148737.tif 000002
【特許請求の範囲】
【請求項１】
目の結像調節機能の訓練を行う視力改善訓練装置であって、
視力改善訓練用の画像を表示する表示部と、
前記表示部に表示される前記画像を遠点と近点との間において往復移動させる移動部と、
前記画像が遠点と近点との間において往復移動する際に、訓練効果のない往路側あるいは復路側の移動時における前記画像の表示を非表示とするように前記表示部を制御する制御部と、
を備えている視力改善訓練装置。
【請求項２】
前記制御部は、前記画像が遠点から近点に向かって移動する際に非表示とするように前記表示部を制御する、
請求項１に記載の視力改善訓練装置。
【請求項３】
前記制御部は、前記画像が近点から遠点に向かって移動する際に非表示とするように前記表示部を制御する、
請求項１に記載の視力改善訓練装置。
【請求項４】
前記制御部は、前記画像が遠点から近点に向かって移動する際に、前記画像の移動速度を低下させるように前記移動部を制御する、
請求項３に記載の視力改善訓練装置。
【請求項５】
前記表示部は、横長の形状を有している、
請求項１から４のいずれか１項に記載の視力改善訓練装置。
【請求項６】
前記制御部は、前記画像が遠点と近点との間を往復移動する際に、訓練者の網膜上に常に同じ大きさの画像が表示されるように、前記画像の位置に応じて拡大縮小表示を行うように前記表示部を制御する、
請求項１から５のいずれか１項に記載の視力改善訓練装置。
【請求項７】
前記制御部は、前記非表示とする際には、表示自体を停止する、あるいは前記画像を背景色と同色に切り換えるように、前記表示部を制御する、
請求項１から６のいずれか１項に記載の視力改善訓練装置。
【請求項８】
前記制御部は、前記非表示とする際には、前記画像の背景色を黒またはこれに近い色に切り換えるように、前記表示部を制御する、
請求項７に記載の視力改善訓練装置。
【請求項９】
前記表示部と訓練者との間に、光路を遮断するための光路遮断部をさらに備えており、
前記制御部は、前記非表示とする際には、前記光路が遮断されるように前記光路遮断部を制御する、
請求項１から６のいずれか１項に記載の視力改善訓練装置。
【請求項１０】
前記光路遮断部は、表示部と訓練者の間の光路上に、幕または板状の部材を有しており、
前記制御部は、前記幕または板状の部材を用いて前記光路の遮断と開放とを切り換えるように、前記光路遮断部を制御する、
請求項９に記載の視力改善訓練装置。
【請求項１１】
目の結像調節機能の訓練を行う視力改善訓練制御プログラムであって、
視力改善訓練用の画像を表示する表示ステップと、
表示される前記画像を遠点と近点との間において往復移動させる移動ステップと、
前記画像が遠点と近点との間において往復移動する際に、訓練効果のない往路側あるいは復路側の移動時における前記画像の表示を非表示とする制御ステップと、
を備えている視力改善訓練制御方法をコンピュータに実行させる視力改善訓練制御プログラム。
【発明の詳細な説明】
【技術分野】
【０００１】
本発明は、目の結像調節機能の訓練によって、近視や遠視（老視）等で低下した視力の改善を図る視力改善訓練装置および視力改善訓練制御プログラムに関する。
【背景技術】
【０００２】
近年、目の調整筋（毛様体筋）の調節緊張や衰弱による目の結像調節機能の低下に起因して低下した視力の改善を図るために、視力改善訓練装置が用いられている。
このような視力改善訓練装置では、訓練者が視力改善訓練用画像にのみ意識を集中させることで、訓練効果を高めることが特に重要である。
【０００３】
例えば、特許文献１には、訓練者の目の位置と表示部の位置との光学距離に応じて、筐体内部に設置された表示部に表示される視力改善訓練用画像（マーク、標的）の表示の大きさを変更する視力改善訓練装置（視力改善装置）について開示されている。具体的には、標的の移動中に訓練者の網膜上に一定の大きさの像が形成されるように、標的の移動に伴って、遠点寄りにある時には標的の図形を大きく表示し、近点寄りにある時には標的の図形を小さく表示する。
【０００４】
これにより、標的と接眼部との光学距離に比例して標的の図形の大きさが変化するため、標的が移動する際に図形に焦点を合わせやすくして、より効果的な訓練を実施することができる。
【特許文献１】特許第３７６６６８１号公報（平成１８年２月３日登録）
【特許文献２】再公表特許ＷＯ２００６／００６５６３号公報（平成１８年１月１９日国際公開）
【発明の開示】
【発明が解決しようとする課題】
【０００５】
しかしながら、上記従来の視力改善訓練装置では、以下に示すような問題点を有している。
すなわち、上記公報に開示された視力改善訓練装置では、標的の移動中に訓練者の網膜上に一定の大きさの像が形成されるように標的の図形を常時表示しているために、例えば、遠点から近点へ標的が移動してくる際には、標的を見続けている訓練者を緊張させてしまう場合がある。このような緊張状態は、絶え間なく集中を継続させることを強いてしまうため、訓練効果を低減させてしまうおそれがある。
【０００６】
本発明の課題は、訓練中において訓練者が集中とリラックスとを繰り返すことで、さらに効果的な訓練を行うことが可能な視力改善訓練装置および視力改善訓練制御プログラムを提供することにある。
【課題を解決するための手段】
【０００７】
第１の発明に係る視力改善訓練装置は、目の結像調節機能の訓練を行う視力改善訓練装置であって、表示部と、移動部と、制御部と、を備えている。表示部は、視力改善訓練用の画像を表示する。移動部は、表示部に表示される画像を遠点と近点との間において往復移動させる。制御部は、画像が遠点と近点との間において往復移動する際に、訓練効果のない往路側あるいは復路側の移動時における画像の表示を非表示とするように表示部を制御する。
【０００８】
ここでは、例えば、筐体等の内部に設置された表示部に所定の視力改善訓練用の画像を表示しながら、訓練者が筐体内を覗き込んだ状態で画像を遠ざけたり近づけたりすることで、目の結像調節訓練を行う視力改善訓練装置において、訓練効果のない側の移動時には、画像の表示を行わないように制御する。
【０００９】
ここで、訓練効果のない側の移動とは、例えば、訓練者が近視の場合には遠点から近点への移動をいう。一方、訓練者が遠視（老視）の場合には近点から遠点への移動をいう。
上記視力改善訓練用の画像には、円や三角形、四角形、リング形状等の図形やアルファベット、ひらがな、カタカナ、写真、アニメーション等が含まれる。このような画像を表示する表示部としては、液晶ディスプレイや有機ＥＬディスプレイ、ＣＲＴディスプレイ等の電子的な表示手段を用いることができる。
【００１０】
また、上記画像が往復移動する範囲において最も遠い地点となる遠点とは、毛様体筋（輪状筋）の弛緩、収縮によって厚さの調節を行う目のレンズの厚み調節がまったくなされていない状態で網膜の中心窩に結像する外界の点、あるいは視力改善訓練装置内において画像（表示部）が訓練者から最も遠い位置となる点をいう。一方、上記画像が往復移動する範囲において最も近い地点となる近点とは、目のレンズの厚み調節を最も大きくした状態で網膜の中心窩に結像する外界の点、あるいは視力改善訓練装置において画像（表示部）が訓練者に対して最も近い位置となる点をいう。なお、近点と遠点とは、訓練者と画像（表示部）の光学距離が短い所定の位置にある１点と、その１点よりも光学距離が長い所定の位置にある１点とで、それぞれ設定してもよい。
【００１１】
さらに、表示部に表示される画像を遠点と近点との間において往復移動させる移動部としては、例えば、プーリやベルト等を含む搬送手段やスクリューを回転させて表示部を所望の方向において往復移動させる搬送手段、あるいは視覚的に遠点と近点との間において画像が往復移動しているように画像表現による表示を行う表示手段等が含まれる。
【００１２】
また、上記往路とは、近点から遠点へ移動する側の移動経路をいい、上記復路とは、遠点から近点へ移動する際の移動経路をいう。
これにより、例えば、訓練者が近視の場合には、近点から遠点への移動時には画像を注視させて近視用の視力改善訓練を実施するとともに、遠点から近点への移動時には画像を非表示とすることができる。よって、訓練者としては、視力改善訓練に効果的な近点から遠点への移動時にのみ集中力を高め、訓練外の遠点から近点への移動時にはリラックスすることができる。この結果、訓練中における集中とリラックスとを繰り返すことで、毛様体筋や瞳孔等の目の結像調節機能を効果的に稼動させて、視力改善訓練による効果をより向上させることができる。
【００１３】
なお、訓練者が遠視の場合には、上記と反対の制御（遠点から近点への移動時に画像表示、近点から遠点への移動時に画像非表示）を行うことで、同様の効果を得ることができる。
【００１４】
第２の発明に係る視力改善訓練装置は、第１の発明に係る視力改善訓練装置であって、制御部は、画像が遠点から近点に向かって移動する際に非表示とするように表示部を制御する。
【００１５】
ここでは、近点から遠点に移動する画像（視標）を注視させて視力の改善を図る、いわゆる近視用の視力改善訓練において、訓練効果のない遠点から近点への移動時に視力改善訓練用の画像の表示を非表示とする。
【００１６】
ここで、仮に、上記画像を常時表示したままで訓練を実施した場合には、近視の訓練において訓練効果がない遠点から近点への画像の移動時に訓練者は画像を見続けてしまい、常時集中した状態となってリラックスすることが難しいため、訓練を長時間継続することが困難になるおそれがある。また、遠点から近点への移動速度が比較的高速である場合には、画像を見続ける訓練者に緊張を強いることになるおそれがある。
【００１７】
これにより、近視の視力改善訓練に影響しない遠点から近点への移動時に画像を非表示とすることで、実際の訓練中（近点から遠点への移動）における訓練者の集中を高めるとともに、逆方向への移動時にリラックスする時間を与え、かつ訓練中の緊張状態を緩和することができる。よって、近視の視力改善訓練による効果をより効果的に向上させることができる。
【００１８】
第３の発明に係る視力改善訓練装置は、第１の発明に係る視力改善訓練装置であって、制御部は、画像が近点から遠点に向かって移動する際に非表示とするように表示部を制御する。
【００１９】
ここでは、遠点から近点に移動する画像（視標）を注視させて視力の改善を図る、いわゆる遠視用の視力改善訓練において、訓練効果のない近点から遠点への移動時に視力改善訓練用の画像の表示を非表示とする。
【００２０】
ここで、仮に、上記画像を常時表示したままで訓練を実施した場合には、遠視の訓練において訓練効果がない近点から遠点への画像の移動時に訓練者は画像を見続けてしまい、常時集中した状態となってリラックスすることが難しいため、訓練を長時間継続することが困難になるおそれがある。
【００２１】
これにより、遠視の視力改善訓練に影響しない近点から遠点への移動時に画像を非表示とすることで、実際の訓練中（遠点から近点への移動）における訓練者の集中を高めるとともに、逆方向への移動時にリラックスする時間を与えることができる。よって、遠視の視力改善訓練による効果をより効果的に向上させることができる。
【００２２】
第４の発明に係る視力改善訓練装置は、第３の発明に係る視力改善訓練装置であって、制御部は、画像が遠点から近点に向かって移動する際に、画像の移動速度を低下させるように移動部を制御する。
【００２３】
ここでは、遠点から近点に移動する画像（視標）を注視させて視力の改善を図る、いわゆる遠視用の視力改善訓練において、訓練効果のある遠点から近点への移動時に画像の移動速度を低速化する。
【００２４】
ここで、速度低下の制御方法としては、所定の速度まで連続的に低下させる制御であってもよいし、段階的に低下させるような制御であってもよい。また、低速化制御を行うのは、移動経路における訓練者側に近い領域においてのみであってもよいし、遠点から近点への移動経路全域であってもよい。
【００２５】
視力改善訓練においては、遠点と近点との間を往復移動する画像を注視することが重要であるが、特に、遠点から近点への画像の移動時には、自分に向かって画像が迫ってくるように見えるため、訓練者に不要な緊張を強いてしまうおそれがある。
【００２６】
これにより、遠視用の視力改善訓練において遠点から近点への移動時に画像または表示部の移動速度を低速化することで、訓練者が感じる緊張を和らげることができる。よって、訓練中の訓練者に無用な緊張や圧迫感を感じさせることなく、効果的な視力改善訓練を実施することができる。
【００２７】
また、近視用の視力改善訓練において遠点から近点への移動時に画像（視標）を表示していない場合でも、訓練者には、表示部が移動していることが見えたり接近してくる気配を感じ取れたりして緊張や圧迫感を招くおそれがある、よって、近視用の訓練を実施する場合でも、遠点から近点への移動を低速化することは、無用な緊張や圧迫感を感じさせることなく、効果的な近視用の視力改善訓練を実施するためには重要である。
【００２８】
第５の発明に係る視力改善訓練装置は、第１からは第４の発明のいずれか１つに係る視力改善訓練装置であって、表示部は、横長の形状を有している。
ここでは、遠点と近点との間を往復移動する表示部の形状を、横長の形状としている。
【００２９】
ここで、視力改善訓練においては、遠点と近点との間を往復移動する表示部の画像を注視することが重要である。特に、遠点から近点への表示部の移動時には、自分に向かって表示部が迫ってくるように見え、訓練者に不要な緊張を強いてしまうおそれがある。
【００３０】
このため、表示部の形状を横長化することで、遠点から近点への移動時に訓練中の訓練者が感じる圧迫感を軽減することができる。よって、訓練中における無用な緊張や圧迫感を感じさせることなく、効果的な視力改善訓練を実施することができる。
【００３１】
第６の発明に係る視力改善訓練装置は、第１から第５の発明のいずれか１つに係る視力改善訓練装置であって、制御部は、画像が遠点と近点との間を往復移動する際に、訓練者の網膜上に常に同じ大きさの画像が表示されるように、画像の位置に応じて拡大縮小表示を行うように表示部を制御する。
【００３２】
ここでは、近視用あるいは遠視用の視力改善訓練において、訓練者の網膜に常時同じ大きさの画像が表示されるように、遠点付近では大きく、近点に近づくにつれて小さく画像を表示する。
【００３３】
これにより、遠点と近点との間において画像を往復移動させる際に、訓練者は画像に対して焦点を合わせやすくなり、遠点と近点との間を往復移動する画像に意識を集中させることができる。この結果、より効果的な視力改善訓練を実施することができる。
【００３４】
第７の発明に係る視力改善訓練装置は、第１から第６の発明のいずれか１つに係る視力改善訓練装置であって、制御部は、非表示とする際には、表示自体を停止する、あるいは画像を背景色と同色に切り換えるように、表示部を制御する。
【００３５】
ここでは、非表示状態の形態として、表示自体を停止させる方法や画像の表示色を背景と同じ色とする制御を行う。
これにより、訓練者には、訓練効果のない側の移動時には、容易に画像の非表示状態を形成することができる。
【００３６】
第８の発明に係る視力改善訓練装置は、第７の発明に係る視力改善訓練装置であって、制御部は、非表示とする際には、画像の背景色を黒またはこれに近い色に切り換えるように、表示部を制御する。
【００３７】
ここでは、非表示の形態として背景色と同色とする場合、特に背景色を黒色またはこれに近い色となるようにする。
これにより、訓練者には、訓練効果のない側の移動時には、容易に画像の非表示状態を形成することができるとともに、輝度による刺激も低減でき、よりリラックスすることができる。
【００３８】
第９の発明に係る視力改善訓練装置は、第１から第６の発明のいずれか１つに係る視力改善訓練装置であって、表示部と訓練者との間に、光路を遮断するための光路遮断部をさらに備えている。制御部は、非表示とする際には、光路が遮断されるように光路遮断部を制御する。
【００３９】
ここでは、非表示の形態として、表示部と訓練者との間の光路を遮断する手段を設けることにより、非表示状態を形成する。
これにより、訓練者には、訓練効果のない側の移動時には、容易に画像の非表示状態を形成することができるとともに、輝度による刺激がなくなるため、訓練者をよりリラックスさせることができる。
【００４０】
第１０の発明に係る視力改善訓練装置は、第９の発明に係る視力改善訓練装置であって、光路遮断部は、表示部と訓練者の間の光路上に、幕または板状の部材を有している。制御部は、幕または板状の部材を用いて光路の遮断と開放とを切り換えるように、光路遮断部を制御する。
【００４１】
ここでは、非表示の形態として、表示部と訓練者との間の光路を遮断する手段を制御することにより、非表示状態を形成する。なお、幕または板状の部材は、１つあるいは複数で構成することも可能である。
【００４２】
これにより、訓練者には、訓練効果のない側の移動時には、容易に画像の非表示状態を形成することができるとともに、輝度による刺激がなくなるため、訓練者をよりリラックスさせることができる。
【００４３】
ここで、上記幕や板状の部材については、黒またはこれに近い色によって構成されていることが好ましい。この場合には、訓練者が目を開いた状態で幕等によって光路を遮断した場合でも、目への刺激を少なくして訓練者の負担を軽減することができる。
【００４４】
第１１の発明に係る視力改善訓練制御プログラムは、目の結像調節機能の訓練を行う視力改善訓練制御プログラムであって、表示ステップと、移動ステップと、制御ステップと、を備えている視力改善訓練制御方法をコンピュータに実行させる。表示ステップは、視力改善訓練用の画像を表示する。移動ステップは、表示される画像を遠点と近点との間において往復移動させる。制御ステップは、画像が遠点と近点との間において往復移動する際に、訓練効果のない往路側あるいは復路側の移動時における画像の表示を非表示とする。
【００４５】
ここでは、例えば、液晶表示装置等に所定の視力改善訓練用の画像を表示しながら、訓練者が画像を注視した状態で画像を遠ざけたり近づけたりすることで、目の結像調節訓練を行う視力改善訓練装置の制御プログラムにおいて、訓練効果のない側の移動時には、画像の表示を行わないように制御する。
【００４６】
ここで、訓練効果のない側の移動とは、例えば、訓練者が近視の場合には遠点から近点への移動をいう。一方、訓練者が遠視の場合には近点から遠点への移動をいう。
上記視力改善訓練用の画像には、円や三角形、四角形、リング形状等の図形やアルファベット、ひらがな、カタカナ、写真、アニメーション等が含まれる。このような画像を表示する手段としては、液晶ディスプレイや有機ＥＬディスプレイ、ＣＲＴディスプレイ等の電子的な表示手段を用いることができる。
【００４７】
また、上記画像が往復移動する範囲において最も遠い地点となる遠点とは、毛様体筋（輪状筋）の弛緩、収縮によって厚さの調節を行う目のレンズの厚み調節がまったくなされていない状態で網膜の中心窩に結像する外界の点、あるいは視力改善訓練装置内において画像（表示部）が訓練者から最も遠い位置となる点をいう。一方、上記画像が往復移動する範囲において最も近い地点となる近点とは、目のレンズの厚み調節を最も大きくした状態で網膜の中心窩に結像する外界の点、あるいは視力改善訓練装置において画像（表示部）が訓練者に対して最も近い位置となる点をいう。なお、近点と遠点とは、訓練者と画像（表示部）の光学距離が短い所定の位置にある１点と、その１点よりも光学距離が長い所定の位置にある１点とで、それぞれ設定してもよい。
【００４８】
さらに、表示される画像を遠点と近点との間において往復移動させる手段としては、例えば、プーリやベルト等を含む搬送手段やスクリューを回転させて表示手段を所望の方向において往復移動させる搬送手段、あるいは視覚的に遠点と近点との間において画像が往復移動しているように画像表現による表示を行う表示手段等が含まれる。
【００４９】
また、上記往路とは、近点から遠点へ移動する側の移動経路をいい、上記復路とは、遠点から近点へ移動する際の移動経路をいう。
これにより、例えば、訓練者が近視の場合には、近点から遠点への移動時には画像を注視させて近視用の視力改善訓練を実施するとともに、遠点から近点への移動時には画像を非表示とすることができる。よって、訓練者としては、視力改善訓練に効果的な近点から遠点への移動時にのみ集中力を高め、訓練外の遠点から近点への移動時にはリラックスすることができる。この結果、訓練中における集中とリラックスとを繰り返すことで、毛様体筋や瞳孔等の目の結像調節機能を効果的に稼動させて、視力改善訓練による効果をより向上させることができる。
【００５０】
なお、訓練者が遠視の場合には、上記と反対の制御（遠点から近点への移動時に画像表示、近点から遠点への移動時に画像非表示）を行うことで、同様の効果を得ることができる。
【発明の効果】
【００５１】
本発明に係る視力改善訓練装置によれば、訓練中における集中とリラックスとを繰り返すことで、毛様体筋や瞳孔等の目の結像調節機能を効果的に稼動させて、視力改善訓練による効果をより向上させることができる。
【発明を実施するための最良の形態】
【００５２】
本発明の一実施形態に係る視力改善訓練装置１０について、図１〜図９を用いて説明すれば以下の通りである。
［視力改善訓練装置１０全体の構成］
本実施形態に係る視力改善訓練装置１０は、図１および図２に示すように、所定の方向において往復移動する筐体部１１内の表示部２０に表示されるマーク（視力改善訓練用の画像）２０ａ（図４（ａ）参照）を注視させることにより、近視あるいは遠視（老視）によって低下した視力の改善を図る装置である。具体的には、訓練者ごとに設定される近点と遠点との間において表示部２０を往復移動させ、マーク２０ａが近点から遠点に移動する際、あるいは遠点から近点に移動する際に、訓練者が移動中のマーク２０ａを注視して訓練を行う。
【００５３】
なお、この遠点とは、目のレンズの厚さの調節をまったくしていないときに、網膜の中心窩に結像する外界の点、あるいは視力改善訓練装置内において画像（表示部）が訓練者から最も遠い位置となる点をいう。一方、近点とは、レンズの厚さの調節を極度にしたときに網膜の中心窩に結像する外界の点、あるいは視力改善訓練装置において画像（表示部）が訓練者に対して最も近い位置となる点をいう。なお、近点と遠点とは、訓練者と画像（表示部）の光学距離が短い所定の位置にある１点と、その１点よりも光学距離が長い所定の位置にある１点とで、それぞれ設定してもよい。
【００５４】
また、本実施形態では、視力改善訓練用のマーク２０ａとして、図４（ａ）等に示すように、略円形のリング状の図形を用いているが、訓練者が訓練中に焦点を合わせやすいものであれば形状や色等は問わない。
【００５５】
視力改善訓練装置１０は、図１および図２に示すように、略直方体の筐体部１１と、筐体部１１の壁面に設けられた接眼部１２と、筐体部１１内に設けられた移動部１３と床面１４と開口１５と照明部１６と表示部２０と、制御部４０とを備えている。
【００５６】
接眼部１２は、視力改善訓練を実施する訓練者が目を当てた状態で、筐体部１１内において移動する表示部２０（マーク２０ａ（図４（ａ）参照））を見るための覗き穴である。そして、接眼部１２は、本実施形態では２つ設けられているが、少なくとも１つ設けられていればよい。また、接眼部１２には、図示しないシャッター等が設置されており、シャッター等によって接眼部１２の片方を閉じておくことで、片目ずつ交互に視力改善訓練を実施することができる。
【００５７】
移動部１３は、筐体部１１内における床面１４下の空間に設置されており、モータ３０と支持部２１、台座部２２、スクリュー２３を含んでいる。また、移動部１３は、制御部４０によってモータ３０の駆動を制御され、表示部２０を所定の方向において往復移動させる。
【００５８】
床面１４には、表示部２０を支持する支持部２１が移動するための開口１５が形成されている。開口１５は、近点と遠点とを結ぶ方向に沿って形成されている。
照明部１６は、訓練者が接眼部１２から表示部２０に表示されるマーク２０ａを見やすくするために、接眼部１２が設けられた側の壁面に設置された照明装置である。照明部１６は、表示部２０におけるマーク２０ａの種類や表示状態、表示色等に応じて適切な明るさに設定できることが好ましい。
【００５９】
表示部２０は、訓練者が接眼部１２を介して目視できる範囲内に配置されており、後述するマーク２０ａを表示する。また、表示部２０は、棒状の支持部２１によって台座部２２から支持されており、モータ３０によってスクリュー２３を所定の方向へ回転させることで、スクリュー２３に嵌合した台座部２２ごと、予め設定された近点と遠点との間において往復移動する。なお、表示部２０としては、液晶ディスプレイが用いられており、制御部４０によってマーク２０ａの大きさや形状の制御や着色等が可能である。
【００６０】
制御部４０は、図２および図３に示すように、表示部２０、モータ３０および入力部３１に接続されており、表示部２０におけるマーク２０ａの表示制御、移動部１３による表示部の移動速度、移動方向等の制御を行う。なお、この制御部４０の構成については、後段にて詳述する。
【００６１】
（制御部４０）
制御部４０は、図３に示すように、入力制御部４１、表示制御部４２、記憶部４３、駆動制御部４４、移動方向制御部４５、位置制御部４６、および速度制御部４７を有している。
【００６２】
入力部３１は、入力スイッチ等であって、表示部２０において表示されるマーク２０ａ（視力改善訓練用の画像（図形））に関する制御情報や後述する近点および遠点に関する位置情報が、視力改善訓練の開始前に予め入力される。
【００６３】
なお、近点および遠点に関する位置情報は、接眼部１２から表示部２０までの光学距離として示されるものであるが、訓練者によって個人差があるため訓練者ごとに調整する必要がある。具体的には、近点は接眼部１２から１００〜５００ｍｍ未満の範囲で、遠点は接眼部１２から５００ｍｍ以上の範囲で、それぞれ訓練者ごとに適切な数値が入力される。なお、近点および遠点の範囲は、上記に限定されるものではなく、訓練者ごとに範囲を調整する必要がある。
【００６４】
入力制御部４１は、表示制御部４２と駆動制御部４４とにそれぞれ接続されており、入力部３１に対して入力された表示部２０におけるマーク２０ａ（表示図形）等の制御情報やモータ３０に関する制御情報等がそれぞれ送信される。
【００６５】
表示制御部４２は、入力制御部４１から受信した制御情報に基づいて、適切な大きさのマーク２０ａを表示したり非表示としたりするように表示部２０を制御する。また、表示制御部４２は、位置制御部４６において取得した接眼部１２と表示部２０との間の光学距離に関する情報についても表示するように表示部２０を制御する。表示制御部４２は、入力された制御情報に基づいて、予め記憶部４３に格納された図形データの中からマーク２０ａとして使用する所定の図形を選び出し、選んだ図形とその大きさに関する情報を表示部２０に表示させる。このように、接眼部１２から表示部２０までの光学距離とマーク２０ａ等の図形の大きさ等の情報を表示することにより、視力改善訓練の結果として、どの図形がどの程度の距離までよく見えるようになったかを訓練者に認識させることができる。よって、訓練者に視力改善訓練による効果を認識させ、次回の視力改善訓練を行う動機付けとすることができる。
【００６６】
また、表示制御部４２では、接眼部１２と表示部２０との間の光学距離に比例して、表示部２０に表示される図形の大きさを変化させるように表示部２０を制御する。具体的には、表示制御部４２は、図８（ａ）〜図８（ｃ）に示すように、近点付近ではマーク２０ａを小さく表示し、表示部２０が中間地点付近から遠点付近に向かって接眼部１２から離れていくにつれて、徐々にマーク２０ａを大きく表示するように表示部２０を制御する。逆に、表示部２０を遠点から近点へ移動させる際には、表示制御部４２は、遠点付近ではマーク２０ａを大きく表示し、近点に近づくにつれてマーク２０ａを小さく表示するように、表示部２０を制御する。これにより、視力改善訓練を行う訓練者の網膜上には、接眼部１２と表示部２０との間の光学距離に関わらず、常時ほぼ同じ大きさのマーク２０ａが表示される。このように、目の網膜上に形成される像の大きさをほぼ一定に保つと、脳に入る視覚情報の量が減るため、訓練者はマーク２０ａに目の焦点を合わせやすくなる。このため、視力改善訓練を行う訓練者は、マーク２０ａを見易くなって、マーク２０ａに集中した状態で視力改善訓練を実施することができる。なお、上述のように、表示部２０に表示されるマーク２０ａの大きさを制御した場合でも、訓練者は図形に目の焦点を合わせるために結像調節機能を稼働させることができる。よって、視力改善訓練中にマーク２０ａの大きさを変化させたとしても、視力改善の効果を損なうことはない。
【００６７】
さらに、表示制御部４２は、表示部２０に表示されるマーク２０ａおよびその背景２０ｂの色についても制御する。マーク２０ａおよびその背景２０ｂの色に関するデータは、予め記憶部４３に格納されている。表示制御部４２は、入力部３１から入力された制御情報に基づいて、マーク２０ａの色に関するデータを取得する。
【００６８】
なお、マーク２０ａや背景２０ｂの色の設定については特に限定されるものではないが、表示制御部４２が、マーク２０ａの色として赤、緑または青のいずれか１つ、背景２０ｂの色として黒を選択した場合には、より効果的に訓練者がマーク２０ａに集中しやすくなる。これは、人の目の網膜内の光受容器が赤、緑、青の３種類の色のそれぞれの波長の光に対する吸収特性を有する錐体と明暗を識別する杆体からなっており、この光受容器の特性から赤、緑または青の図形が見やすいからである。また、背景２０ｂを黒色とすることにより、マーク２０ａの識別をさらに容易として、視力改善訓練を行う訓練者がマーク２０ａにさらに集中しやすくすることができる。さらに、背景色を黒に設定した場合には、目に対して最も刺激が少ないため、訓練者はよりリラックスした状態で訓練を行うことができる。
【００６９】
記憶部４３は、表示部２０において表示されるマーク２０ａとして、複数の形状の図形や文字、記号、画像等の情報や、図形や背景の色情報等を格納している。また、記憶部４３は、視力改善訓練を行う訓練者ごとに設定される近点や遠点の光学距離に関する情報を格納しており、訓練者は視力改善訓練を開始する際に以前設定した近点、遠点の光学距離に関する情報を記憶部４３から読み出して使用することができる。
【００７０】
駆動制御部４４は、移動方向制御部４５、位置制御部４６、速度制御部４７によって、表示部２０を駆動するモータ３０の制御を行う。具体的には、移動方向制御部４５は、表示部２０が遠点から近点に向かう方向、あるいは近点から遠点に向かう方向のいずれの方向に移動するかを制御する。また、位置制御部４６は、表示部２０の位置や、入力部３１から設定入力された遠点、近点の位置を制御する。速度制御部４７は、モータ３０の回転数を制御することで、スクリュー２３の回転に伴って移動する表示部２０の移動速度を制御する。
【００７１】
移動方向制御部４５は、入力部３１から視力改善訓練装置１０の起動信号が入力されると、表示部２０の遠点と近点との間における移動方向を制御する。なお、近視用の視力改善訓練を行うか、遠視用の視力改善訓練を行うかによって、表示部２０の訓練開始時の初期位置が変化する。このため、視力改善訓練の内容に応じて、表示部２０の最初の移動方向を設定すればよい。例えば、近視用の視力改善訓練を実施する際には、表示部２０の初期位置は近点となるため、起動信号が入力された時に表示部２０がどの位置に停止していたとしても、表示部２０が近点に向かって移動するようにモータ３０を制御する。
【００７２】
位置制御部４６は、接眼部１２から表示部２０までの光学距離を、例えば、モータ３０の回転数等に基づいて適宜制御する。なお、接眼部１２から表示部２０のマーク２０ａまでの光学距離は、表示制御部４２に入力され、表示部２０の画面上にマーク２０ａとともに表示される。
【００７３】
速度制御部４７は、近点と遠点との間において往復移動する表示部２０の移動速度を、連続的（図９（ａ）参照）あるいは段階的に変化させることができる。移動速度を段階的に変化させる場合には、例えば、１０ｍｍ／秒、４０ｍｍ／秒、８０ｍｍ／秒、１６０ｍｍ／秒、２５０ｍｍ／秒、５００ｍｍ／秒のいずれかの移動速度から訓練者自身、あるいは医師等の操作者が自分に最適な移動速度を選択可能となっている。また、図９（ａ）に示すように、移動速度を連続的に変化させる場合には、訓練者あるいは操作者が最適な移動速度の微妙な調整を行うことができる。このような表示部２０の移動速度は、訓練者あるいは操作者が入力部３１から直接入力すればよい。
【００７４】
移動方向制御部４５、位置制御部４６および速度制御部４７の各制御出力は、駆動手段であるモータ３０に入力され、所定の制御が行われる。なお、移動方向制御部４５、位置制御部４６、速度制御部４７の各制御を組み合わせて、表示部２０の移動時に小刻みに前後方向に振動させると、訓練者が表示部２０に表示されたマーク２０ａに自分の目の焦点を合わせやすくなるとともに、焦点が合っているか否かを判断しやすくすることができる。
【００７５】
ここで、視力改善訓練装置１０では、接眼部１２から遠点までの光学距離を筐体部１１内に確保する必要があるため、通常は奥行きが５５０〜１０５０ｍｍ程度となって装置が大型化する。そこで、接眼部１２から表示部２０の光路間に凸レンズやミラー等の光学装置を設けることで奥行きを小さくして装置の小型化を図ることもできる。
【００７６】
＜視力改善訓練の概要＞
訓練者は、接眼部１２に目を当てた状態で、表示部２０に表示されたマーク２０ａを両眼または片眼で見る。この時、訓練者は、マーク２０ａに集中してはっきり見えるよう努力し、目の焦点を合わせる。このように、訓練者が目の焦点をマーク２０ａに合わせた状態で、近点と遠点との間を繰り返し往復移動させることで、訓練中の訓練者の目の毛様体筋や瞳孔、輻輳・開散等の目の結像調節機能を稼働させて、目の結像調節機能を向上させることができる。
【００７７】
これにより、近視の場合の遠方の対象物および遠視の場合の近傍の対象物のような、それまではっきり見ることが困難であった対象物をはっきり見ることができる。このように、毛様体筋等のレンズの曲率制御組織を運動させ、瞳孔径の調節や輻輳・開散を行うことにより、網膜を含む眼球全体の運動を行わせて、目の機能を活性化することができる。
【００７８】
なお、上述した近点と遠点との間のマーク２０ａの移動は、例えば、１０往復を１セットとし、休みを入れながら２から３セットを１日１回程度行うのが好ましい。これにより、長時間の訓練によってドライアイとなることを防止することができる。
【００７９】
また、パソコンのディスプレイを長時間見続けたり、本などを長時間読んだりした後などにも、本装置による毛様体筋の運動、瞳孔調節、輻輳・開散を行うことにより目の機能を改善させることができる。
【００８０】
＜近視用の視力改善訓練の制御＞
本実施形態の視力改善訓練装置１０では、近視用の視力改善訓練を実施する際には、図４（ａ）および図４（ｂ）に示すように、表示部２０におけるマーク２０ａの表示を制御しつつ、図５に示すような制御フローに従って処理を行う。
【００８１】
具体的には、ステップＳ１では、まず、訓練者あるいは操作者が、近視用の視力改善訓練を行うために、視力改善訓練開始ボタンを押下する。
ステップＳ２では、駆動制御部４４に含まれる移動方向制御部４５、位置制御部４６によって、近視用の視力改善訓練の初期位置となる近点付近に表示部２０を移動させる。なお、視力改善訓練開始ボタンが押下された際に、表示部２０が近点付近にある場合にはそのまま待機すればよい。
【００８２】
ステップＳ３では、訓練を開始する合図として、例えば、報知音を出して、訓練者に視力改善訓練の開始（集中の開始）を認識させる。
ステップＳ４では、表示制御部４２が、記憶部４３から読み出したマーク２０ａを表示するように、表示部２０を制御する。また、ステップＳ３およびステップＳ４の処理については、ステップＳ３の後、５００ｍｓｅｃ以内、または同時に並行して行われてもよい。
【００８３】
ステップＳ５では、マーク２０ａを表示させた表示部２０を、近点から遠点に向かって所定の速度で移動させる（往路）。このとき、上述したように、表示制御部４２によって、表示部２０に表示されるマーク２０ａの大きさが変化するように制御される。具体的には、図８（ａ）〜図８（ｃ）に示すように、表示部２０の位置、つまり接眼部１２から表示部２０までの光学距離に応じて、訓練中の訓練者から見てほぼ一定の大きさのマーク２０ａが見えるように、マーク２０ａの大きさを変化させる。
【００８４】
ステップＳ６では、遠点に停止している表示部２０におけるマーク２０ａを非表示とするように、表示部２０を制御する。
ステップＳ７では、非表示の状態で表示部２０を遠点から近点まで移動させる（復路）。なお、表示部２０におけるマーク２０ａの非表示の形態としては、表示部２０の背景２０ｂ部分とほぼ同色のマーク２０ａを表示することで訓練者から見てマーク２０ａが認識できないような表示形態としてもよいし、マーク２０ａの表示自体を停止させるような形態であってもよい。あるいは、訓練者と表示部２０との間の光路を遮断する光路遮断部等の手段を用いて、非表示状態を形成してもよい。また、ステップＳ６およびステップＳ７の処理の開始については、同時に並行して行われてもよい。
【００８５】
ステップＳ８では、所定回数（例えば、１０回）だけ表示部２０が往復移動を行ったか否かを確認し、所定回数に達するまで、ステップＳ３からステップＳ８までを繰り返し行う。このように、往路では、近点に停止している表示部２０のマーク２０ａを表示させ、遠点に向かって移動させる。そして、復路では、遠点に停止している表示部２０のマーク２０ａを非表示とし、近点に向かって移動させる。このような表示部２０の往復移動（ステップＳ３〜ステップＳ７）を、所定回数に達するまで繰り返した後、訓練を終了する。
【００８６】
本実施形態の視力改善訓練装置１０では、以上のように、近視用の視力改善訓練を実施する際には、近点から遠点に向かって移動する表示部２０にはマーク２０ａを表示する一方、遠点から近点に向かって移動する表示部２０にはマーク２０ａを非表示とするように、表示制御部４２が表示部２０を制御する。
【００８７】
また、本実施形態では、ステップＳ５において、表示部２０を近点から遠点に向かって移動させる際には、図９（ｂ）に示すように、表示部２０の移動速度を、近点での停止状態から高速ａ１まで加速を行い、一定期間の間は高速ａ１を維持して移動し、遠点で停止させる制御を行う。具体的には、速度制御部４７が、モータ３０の回転数を制御して、近点から遠点に向かう移動における移動速度を高速ａ１になるように制御する。また、上記とは反対に、表示部２０が遠点から近点に向かって移動する際には、図９（ｂ）に示すように、表示部２０の移動速度を遠点での停止状態から低速ａ２まで加速させ、一定期間は低速ａ２を維持して移動し、近点で停止するように制御を行う。
【００８８】
ここで、上記高速ａ１は、例えば、１５００〜５００ｍｍ／秒、低速ａ２は、例えば、５００〜１００ｍｍ／秒程度に設定されていればよい。なお、高速ａ１および低速ａ２の範囲としては、上記に限定されるものではなく、訓練者ごとに調整して使用すればよい。
【００８９】
ここで、近視用の視力改善訓練においては、近点から遠点に向かって移動する表示部２０に表示されるマーク２０ａに焦点を合わせながら、訓練者の目の毛様体筋や瞳孔、輻輳・開散等の目の結像調節機能を稼働させることが重要である。反対に、近視用の視力改善訓練においては、遠点から近点に向かって戻ってくる表示部２０に表示されたマーク２０ａについても焦点を合わせ続けることは、近視によって低下した視力の改善にはあまり効果的でないだけでなく、訓練中は常に集中した状態を強いることになり、訓練効果が低減するおそれもある。そして、表示部２０に常時マーク２０ａが表示されている場合には、訓練者としてはマーク２０ａを見続けてしまうため、リラックスしにくいという問題もある。さらに、接眼部近傍でより速度を低下させることで、表示部２０が迫ってくる威圧感も低減され、よりリラックスすることができる。例えば、表示部２０が遠点から近点に向かって移動する際には、図９（ｃ）に示すように、表示部２０の移動速度を遠点での停止状態から低速ａ２まで加速させ、一定期間の間は低速ａ２を維持して移動し、近点で緩やかに停止するように制御を行う。具体的には、低速ａ２から近点低速ａ３まで減速し、近点で停止する際に、近点低速ａ３となる位置ｐ１は、例えば、接眼部１２から光学距離で５００ｍｍ以上遠方とし、接眼部１２から光学距離でｐ１未満は、近点低速ａ３とし、例えば、２００ｍｍ／秒以下とする。なお、マーク位置ｐ１および近点低速ａ３の範囲としては、上記に限定されるものではなく、訓練者ごとに調整して使用すればよい。
【００９０】
なお、移動速度の設定によっては、図９（ｄ）に示すように、一定期間の間は高速ａ１または低速ａ２を維持して移動せずに、最高速度となってもよい。
これにより、訓練者としては、近視用の視力改善訓練に効果的な近点から遠点への移動時にのみ、表示部２０に表示されるマーク２０ａに焦点を合わせるように集中して訓練を行い、遠点から近点へ戻ってくる際には表示部２０には何も表示されていないため、リラックスすることができる。よって、訓練者は、近視によって低下した視力の改善に有効な訓練の期間にはマーク２０ａに集中し、それ以外の期間は集中を解いてリラックスすることができる。この結果、集中とリラックスとを繰り返しながら視力改善訓練を行うことで、より効果的な訓練を実施して、視力改善の効果を向上させることができる。
【００９１】
＜遠視用の視力改善訓練の制御＞
本実施形態の視力改善訓練装置１０では、遠視用の視力改善訓練を実施する際には、図６（ａ）および図６（ｂ）に示すように、表示部２０におけるマーク２０ａの表示を制御しつつ、図７に示すような制御フローに従って処理を行う。
【００９２】
具体的には、ステップＳ１１では、まず、訓練者あるいは操作者が、遠視用の視力改善訓練を行うために、視力改善訓練開始ボタンを押下する。
ステップＳ１２では、駆動制御部４４に含まれる移動方向制御部４５、位置制御部４６によって、遠視用の視力改善訓練の初期位置となる遠点付近に表示部２０を移動させる。なお、視力改善訓練開始ボタンが押下された際に、表示部２０が遠点付近にある場合にはそのまま待機すればよい。
【００９３】
ステップＳ１３では、訓練を開始する合図として、例えば、報知音を出して、訓練者に視力改善訓練の開始(集中の開始)を認識させる。
【００９４】
ステップＳ１４では、表示制御部４２が、記憶部４３から読み出したマーク２０ａを表示するように、表示部２０を制御する。なお、ステップＳ１３およびステップＳ１４は、ステップＳ１３の後、５００ｍｓｅｃ以内、または同時に並行して行われてもよい。
【００９５】
ステップＳ１５では、マーク２０ａを表示させた表示部２０を、遠点から近点に向かって所定の速度で移動させる（復路）。このとき、上述した近視用の視力改善訓練と同様に、表示制御部４２によって、表示部２０に表示されるマーク２０ａの大きさが変化するように制御される。
【００９６】
また、本実施形態では、ステップＳ１５において、表示部２０を遠点から近点に向かって移動させる際には、図９（ｂ）に示すように、表示部２０を遠点での停止状態から移動速度を、高速ａ１または低速ａ２まで加速させ、一定期間の間は高速ａ１または低速ａ２を維持して移動し、近点で停止するように制御を行う。具体的には、速度制御部４７が、モータ３０の回転数を制御して、遠点から近点に向かう移動における移動速度を高速ａ１または低速ａ２に制御する。また、上記とは反対に、表示部２０が近点から遠点に向かって移動する際には、図９（ｂ）に示すように、表示部２０を近点での停止状態から移動速度を、高速ａ１または低速ａ２まで加速させ、一定期間の間は高速ａ１または低速ａ２を維持して移動し、遠点で停止するようにする。
【００９７】
なお、上記高速ａ１は、例えば、１５００〜５００ｍｍ／秒、低速ａ２は、例えば、５００〜１００ｍｍ／秒程度に設定されていればよい。なお、高速ａ１および低速ａ２の範囲としては、上記に限定されるものではなく、訓練者ごとに調整して使用すればよい。
【００９８】
ステップＳ１６では、表示部２０におけるマーク２０ａを非表示となるように、表示部２０を制御する。
【００９９】
ステップＳ１７では、非表示の状態で表示部２０を近点から遠点まで移動させる（往路）。なお、表示部２０におけるマーク２０ａの非表示の形態としては、上述した近視用の視力改善訓練の場合と同様である。また、ステップＳ１６およびステップＳ１７の処理の開始については、同時に並行して行われてもよい。
【０１００】
ステップＳ１８では、所定回数（例えば、１０回）だけ表示部２０が往復移動を行ったか否かを確認し、復路ではマーク２０ａを表示、往路ではマーク２０ａを非表示として、所定回数に達するまで、表示部２０の往復移動をステップＳ１３からステップＳ１８までの手順で繰り返した後、訓練を終了する。
【０１０１】
本実施形態の視力改善訓練装置１０では、以上のように、遠視用の視力改善訓練を実施する際には、遠点から近点に向かって移動する表示部２０にはマーク２０ａを表示する一方、近点から遠点に向かって移動する表示部２０にはマーク２０ａを非表示とするように、表示制御部４２が表示部２０を制御する。
【０１０２】
ここで、遠視用の視力改善訓練においては、遠点から近点に向かって移動する表示部２０に表示されるマーク２０ａに焦点を合わせながら、訓練者の目の毛様体筋や瞳孔、輻輳・開散等の目の結像調節機能を稼働させることが重要である。反対に、遠視用の視力改善訓練においては、近点から遠点に向かって戻っていく表示部２０に表示されたマーク２０ａについても焦点を合わせ続けることは、遠視によって低下した視力の改善にはあまり効果的でないだけでなく、訓練中に常に集中した状態を強いることになり、訓練効果が低減するおそれもある。そして、表示部２０に常時マーク２０ａが表示されている場合には、訓練者としてはマーク２０ａを見続けてしまうため、リラックスしにくいという問題もある。
【０１０３】
これにより、訓練者としては、遠視用の視力改善訓練に効果的な遠点から近点への移動時にのみ、表示部２０に表示されるマーク２０ａに焦点を合わせるように集中して訓練を行い、近点から遠点へ移動する際には表示部２０には何も表示されていないため、リラックスすることができる。よって、訓練者は、遠視によって低下した視力の改善に有効な訓練の期間にはマーク２０ａに集中し、それ以外の期間は集中を解いてリラックスすることができる。この結果、集中とリラックスとを繰り返しながら視力改善訓練を行うことで、より効果的な訓練を実施して、視力改善の効果を向上させることができる。
【０１０４】
また、本実施形態の視力改善訓練装置１０では、遠視用の視力改善訓練において、遠点から近点に向かって移動する表示部２０は、近点に近づくにつれて低速になるように制御される。
【０１０５】
これにより、遠視用の視力改善訓練を行う訓練者が、表示部２０に表示されるマーク２０ａに集中して焦点を合わせた状態で、表示部２０が高速で近づいてくる際に恐怖感や圧迫感を感じることを回避することができる。よって、この低速化制御によっても、視力改善訓練中における集中とリラックスとを効果的に繰り返して、訓練による効果を向上させることができる。例えば、表示部２０が遠点から近点に向かって移動する際には、図９（ｃ）に示すように、表示部２０の移動速度を遠点での停止状態から低速ａ２まで加速させ、一定期間の間は低速ａ２を維持して移動し、近点で緩やかに停止するように制御を行う。具体的には、高速ａ１または低速ａ２から近点低速ａ３まで減速し、近点で停止する際に、近点低速ａ３となる位置ｐ１は、例えば、接眼部１２から光学距離で５００ｍｍ以上遠方とし、接眼部１２から光学距離でｐ１未満は、近点低速ａ３とし、例えば、２００ｍｍ／秒以下とする。なお、マーク位置ｐ１および近点低速ａ３の範囲としては、上記に限定されるものではなく、訓練者ごとに調整して使用すればよい。
【０１０６】
なお、移動速度の設定によっては、図９（ｄ）に示すように、一定期間の間は高速ａ１または低速ａ２を維持して移動せずに、最高速度となってもよい。
【０１０７】
［本視力改善訓練装置１０の特徴］
（１）
本実施形態の視力改善訓練装置１０は、視力改善訓練用のマーク２０ａを表示する表示部２０を近点と遠点との間において移動させながら視力改善訓練を行う装置であって、図５に示すように、近視用の視力改善訓練においては遠点から近点への移動時（図４（ｂ）参照）、図７に示すように、遠視用の視力改善訓練においては近点から遠点への移動時（図６（ａ）参照）に、それぞれマーク２０ａが非表示となるように表示部２０を制御する。
【０１０８】
これにより、近視用、遠視用それぞれの訓練において、視力改善に効果がある方向とは反対方向への表示部２０の移動の際には、表示部２０にマーク２０ａを表示させないことで、訓練者は訓練中にリラックスする時間を設けることができる。よって、訓練者としては、視力改善訓練において、マーク２０ａへの集中とリラックスとを繰り返しながら訓練を行うことで、訓練による視力改善効果を従来よりも向上させることができる。
【０１０９】
また、例えば、１０往復を１セットとする視力改善訓練において、訓練中は常に集中を維持しなくてはならない常時マーク等を表示する従来の装置と比較して、訓練後の訓練者の疲れを軽減することができる。よって、訓練者は１回の訓練を比較的楽に行うことができるため、１日に行う訓練の回数を増やして、さらに視力改善訓練による効果を向上させることができる。
【０１１０】
（２）
本実施形態の視力改善訓練装置１０では、図４（ａ）および図４（ｂ）、図５に示すように、近視用の視力改善訓練においては、表示部２０が遠点から近点に向かって移動する際に、マーク２０ａの表示を非表示とする。
【０１１１】
これにより、近視用の視力改善訓練において、マーク２０ａを見続ける必要がない遠点から近点への移動時に表示部２０を非表示状態とすることで、この間、訓練者をリラックスさせることができる。この結果、近視用の視力改善訓練に重要な近点から遠点への移動時にはマーク２０ａに焦点を合わせるように訓練者を集中させる一方、訓練効果がほとんどない遠点から近点への移動時にはマーク２０ａを非表示とすることで、集中とリラックスとを繰り返して、近視によって低下した視力の改善に効果的な訓練を実施することができる。
【０１１２】
（３）
本実施形態の視力改善訓練装置１０では、図９（ｃ）および図９（ｄ）に示すように、近視用の視力改善訓練において、マーク２０ａを表示させた状態で遠点から近点へ表示部２０を移動させる際には、表示部２０の移動速度を徐々に低下させるように制御を行う。
【０１１３】
これにより、近視用の視力改善訓練において、訓練者自身に向かって高速または低速で迫ってくる表示部２０のマーク２０ａを集中して見続けることによる緊張感や圧迫感を低減することができる。この結果、近視用の視力改善訓練において、訓練者に緊張等を強いることなく、集中とリラックスとを繰り返させて効果的な訓練を実施することができる。
【０１１４】
（４）
本実施形態の視力改善訓練装置１０では、図６（ａ）および図６（ｂ）、図７に示すように、遠視用の視力改善訓練においては、表示部２０が近点から遠点に向かって移動する際に、マーク２０ａの表示を非表示とする。
これにより、遠視用の視力改善訓練において、マーク２０ａを見続ける必要がない近点から遠点への移動時に表示部２０を非表示状態とすることで、この間、訓練者をリラックスさせることができる。この結果、遠視用の視力改善訓練に重要な遠点から近点への移動時にはマーク２０ａに焦点を合わせるように訓練者を集中させる一方、訓練効果がほとんどない近点から遠点への移動時にはマーク２０ａを非表示とすることで、集中とリラックスとを繰り返して、遠視によって低下した視力の改善に効果的な訓練を実施することができる。
【０１１５】
（５）
本実施形態の視力改善訓練装置１０では、図９（ｃ）および図９（ｄ）に示すように、遠視用の視力改善訓練において、マーク２０ａを表示させた状態で遠点から近点へ表示部２０を移動させる際には、表示部２０の移動速度を徐々に低下させるように制御を行う。
【０１１６】
これにより、遠視用の視力改善訓練において、自分に向かって高速で迫ってくる表示部２０のマーク２０ａを集中して見続けることによる緊張感や圧迫感を低減することができる。この結果、遠視用の視力改善訓練において、訓練者に緊張等を強いることなく、集中とリラックスとを繰り返させて効果的な訓練を実施することができる。
【０１１７】
（６）
本実施形態の視力改善訓練装置１０では、図８（ａ）〜図８（ｃ）に示すように、近点と遠点との間において表示部２０が往復移動する際には、訓練者の網膜上に常時同じ大きさのマーク２０ａが表示されるように、表示部２０が制御される。
【０１１８】
これにより、訓練者からは訓練中に常にほぼ同じ大きさのマーク２０ａが見えることになるため、脳に入る情報を少なくして、マーク２０ａに焦点を合わせやすくした状態で効果的な訓練を行うことができる。
【０１１９】
（７）
本実施形態の視力改善訓練装置１０では、図４（ｂ）および図６（ａ）等に示すように、表示部２０を非表示状態とする際には、マーク２０ａの表示自体を停止する、あるいは表示部２０の背景２０ｂ部分と同色でマーク２０ａを表示するように、表示部２０が制御される。
【０１２０】
これにより、近視用および遠視用の視力改善訓練において、容易な制御によってマーク２０ａの非表示状態を形成することで、訓練中の訓練者にリラックスする時間帯を付与することができる。この結果、視力改善訓練において集中とリラックスとを繰り返して、訓練による視力の改善効果を向上させることができる。
【０１２１】
［他の実施形態］
以上、本発明の一実施形態について説明したが、本発明は上記実施形態に限定されるものではなく、発明の要旨を逸脱しない範囲で種々の変更が可能である。
【０１２２】
（Ａ）
上記実施形態では、視力改善訓練装置１０に対して本発明を適用した例を挙げて説明した。しかし、本発明はこれに限定されるものではない。
【０１２３】
例えば、ＰＣ（Personal Computer）の液晶画面等に錯覚画像等を表示させて視覚的に遠点と近点との間における画像の移動を実現させ、上述した制御フロー（図５および図７参照）に従って実行される視力改善訓練制御方法をコンピュータに実行させる視力改善訓練制御プログラムとして本発明を実施してもよい。
【０１２４】
この視力改善訓練制御プログラムによっても、訓練中における集中とリラックスとを繰り返すことで、毛様体筋や瞳孔等の目の結像調節機能を効果的に稼動させて、視力改善訓練による効果をより向上させることができるという、上記視力改善訓練装置１０によって得られる効果と同様の効果を得ることができる。
【０１２５】
（Ｂ）
上記実施形態では、筐体部１１内に設置された表示部２０を前後方向に移動させて、視力改善訓練用のマーク２０ａを訓練者が直接的に注視する構成を例として挙げて説明した。しかし、本発明はこれに限定されるものではない。
【０１２６】
例えば、図１０に示すように、筐体部１１１内に視力改善訓練用のマークを表示する表示部１２０を固定配置し、平面鏡等の反射部１５０を前後方向において移動させることで、遠点と近点との間においてマークを視覚的に移動させる反射型の視力改善訓練装置１１０を用いることもできる。
【０１２７】
このような反射型の視力改善訓練装置１１０では、制御部１４０が、床面１１４上において反射部１５０を支持する支持部１５１と台座部１５２とを移動部１１３によって移動させ、表示部１２０に対する反射部１５０の距離を変化させる。移動部１１３は、モータ１３０、プーリ１３１およびベルト１３２を含んでいる。筐体部１１１には、接眼部１１２と照明部１１６とが取り付けられている。
【０１２８】
これにより、訓練者は反射部１５０を介して間接的にマークを注視することになるため、筐体部１１１内における訓練者の目（接眼部１１２）からマークまでの距離を短くすることができる。よって、上記実施形態の視力改善訓練装置１０と比較して、マークの移動方向における装置の大きさを小さくして、よりコンパクトな装置を構成することができる。
【０１２９】
（Ｃ）
上記実施形態では、マーク２０ａを表示する表示部２０の形状が横長の長方形である例を挙げて説明した。しかし、本発明はこれに限定されるものではない。
【０１３０】
例えば、表示部の形状としては、正方形や円形、縦長の長方形等、他の形状であってもよい。
ただし、遠点から近点に向かって移動してくる表示部を見続けることによる緊張や圧迫感を訓練者に対して与えないようにするという観点では、上記実施形態のように、できる限り横長形状の表示部を用いることが好ましい。
【０１３１】
また、表示部に表示するマークとしては、例えば、図１１（ａ）〜図１１（ｃ）に示すように、遠点付近から中間地点付近、近点付近に近づくほどマーク２０ａを横長形状に変化させるように表示部２０を制御してもよい。
【０１３２】
この場合には、特に、遠視用の視力改善訓練において、遠点から近点に向かって接近してくるマーク２０ａを注視する際に、訓練者が感じるおそれがある無用な緊張や圧迫感を、マーク２０ａの形状を横長に変化させることによって軽減することができる。
【０１３３】
（Ｄ）
上記実施形態では、訓練中の訓練者の網膜上に常に同じ大きさのマーク２０ａが映るように、表示部２０の位置に応じてマーク２０ａの大きさを変化させるように制御を行う例を挙げて説明した。しかし、本発明はこれに限定されるものではない。
【０１３４】
例えば、マーク（視力改善訓練用の画像）の大きさを変化させることなく常時同じ大きさで表示し、遠点と近点との間を往復移動させるような光学装置を利用した制御を実施してもよい。
【０１３５】
この場合でも、集中とリラックスとを繰り返しながら効果的な視力改善訓練を実施することができるという、上記と同様の効果を得ることができる。
【０１３６】
（Ｅ）
上記実施形態では、視力改善訓練用の画像（視標）として、略円形のリング状のマーク（視力改善訓練用の画像）２０ａを用いた例を挙げて説明した。しかし、本発明はこれに限定されるものではない。
【０１３７】
例えば、図１２（ａ）に示すように、リング状のマークの代わりに、アルファベット（例えば、「Ｇ」）等の文字や図形等をマーク（視力改善訓練用の画像）１２０ａとして表示してもよい。
【０１３８】
あるいは、図１２（ｂ）に示すように、動物の絵等をマーク（視力改善訓練用の画像）１２０ｂとして表示して、視力改善訓練を実施してもよい。
なお、このようなマークの種類については、視力改善訓練を実施する訓練者の年齢や好みに応じて適宜選択可能であることが望ましい。
【０１３９】
（Ｆ）
上記実施形態では、近視用の視力改善訓練および遠視用の視力改善訓練の双方を実施可能な視力改善訓練装置１０を例として挙げて説明した。しかし、本発明はこれに限定されるものではない。
【０１４０】
例えば、近視用の視力改善訓練、あるいは遠視用の視力改善訓練のいずれか一方だけを実施可能な視力改善訓練装置であってもよい。
【０１４１】
（Ｇ）
上記実施形態では、視力改善訓練用の画像を表示する表示部２０として、液晶表示パネルを用いた例を挙げて説明した。しかし、本発明はこれに限定されるものではない。
【０１４２】
例えば、液晶表示パネル以外にも、有機ＥＬ（Electro-Luminescence）パネルやＣＲＴ（Cathode Ray Tube）等の他の電子的表示手段を用いることもできる。
【０１４３】
（Ｈ）
上記実施形態では、筐体部１１の中に表示部２０等が格納された視力改善訓練装置１０を例として挙げて説明した。しかし、本発明はこれに限定されるものではない。
【０１４４】
例えば、ＰＣや携帯電話等の表示画面に画像表現による表示を行って訓練者が距離感を感じられるような構成であれば、表示画面を見ながら視力改善訓練を実施することも可能である。
【産業上の利用可能性】
【０１４５】
本発明の視力改善訓練装置は、訓練中における集中とリラックスとを繰り返すことで、毛様体筋や瞳孔等の目の結像調節機能を効果的に稼動させて、視力改善訓練による効果をより向上させることができるという効果を奏することから、各種の視力改善訓練装置に対して広く適用可能である。
【図面の簡単な説明】
【０１４６】
【図１】本発明の一実施形態に係る視力改善訓練装置の構成を示す全体斜視図。
【図２】図１の視力改善訓練装置の内部構成を示す断面図。
【図３】図１の視力改善訓練装置内に形成される制御ブロック図。
【図４】（ａ），（ｂ）は、近視用の視力改善訓練を実施する際に往路、復路においてマークを表示、非表示状態とした表示部の構成を示す斜視図。
【図５】近視用の視力改善訓練を行う際の制御フローを示すフローチャート。
【図６】（ａ），（ｂ）は、遠視用の視力改善訓練を実施する際に往路、復路においてマークを非表示、表示状態とした表示部の構成を示す斜視図。
【図７】遠視用の視力改善訓練を行う際の制御フローを示すフローチャート。
【図８】（ａ）〜（ｃ）は、訓練者の網膜上に常時同じ大きさのマークが表示されるように表示部において表示されるマークの大きさを変化させることを示す説明図。
【図９】（ａ）〜（ｄ）は、遠点から近点、近点から遠点に向かって移動する表示部の移動速度の変化を示すグラフ。
【図１０】本発明の他の実施形態に係る反射型の視力改善訓練装置の内部構成を示す断面図。
【図１１】（ａ）〜（ｃ）は、近点に近づくほど横長のマークが表示されるように表示部において表示されるマークの形状を変化させることを示す説明図。
【図１２】（ａ），（ｂ）は、表示部において表示されるマークの種類を示す正面図。
【符号の説明】
【０１４７】
１０      視力改善訓練装置
１１      筐体部
１２      接眼部
１３      移動部
１４      床面
１５      開口
１６      照明部
２０      表示部
２０ａ    マーク（視力改善訓練用の画像）
２０ｂ    背景
２１      支持部
２２      台座部
２３      スクリュー
３０      モータ
３１      入力部
４０      制御部
４１      入力制御部
４２      表示制御部
４３      記憶部
４４      駆動制御部
４５      移動方向制御部
４６      位置制御部
４７      速度制御部
１１０      視力改善訓練装置
１１１      筐体部
１１２      接眼部
１１３      移動部
１１４      床面
１１６      照明部
１２０      表示部
１２０ａ    マーク（視力改善訓練用の画像）
１２０ｂ    マーク（視力改善訓練用の画像）
１３０      モータ
１３１      プーリ
１３２      ベルト
１４０      制御部
１５０      反射部
１５１      支持部
１５２      台座部
ａ１      高速
ａ２      低速
ａ３      近点低速
ｐ１      近点低速ａ３となる位置
Ｓ      ステップ
【図１】
2010148737.tif 000003
【図２】
2010148737.tif 000004
【図３】
2010148737.tif 000005
【図４】
2010148737.tif 000006
【図５】
2010148737.tif 000007
【図６】
2010148737.tif 000008
【図７】
2010148737.tif 000009
【図８】
2010148737.tif 000010
【図９】
2010148737.tif 000011
【図１０】
2010148737.tif 000012
【図１１】
2010148737.tif 000013
【図１２】
2010148737.tif 000014